(57)【特許請求の範囲】
【請求項１】
一端が開放された箱体であるキャビネットの開放端に扉が開閉自在に設けられ、前記開放端にパッキンが設けられた収納家具であって、
前記扉は、前記キャビネットの開放端を覆う前板と、この前板の一端部にその長さ方向に沿って設けられた取っ手とから構成され、
前記取っ手は、取っ手本体と、この取っ手本体の長さ方向の端面を覆うエンドキャップとから構成され、前記取っ手本体は、前記前板の表面側に配置され、人の手指をかけるための指かかり片と、前記前板の裏面と裏面が略面一に配置され、前記指かかり片を支持し、前記前板の厚みよりも薄く上端部から下端部にかけて略平板状の形状を有する支持片とを備え、
前記支持片では、その裏面に、長さ方向の全長にわたってエンドキャップ取付用の段部が設けられ、
前記指かかり片は、前記支持片の上端部から前記前板の表面側に延びる水平片と、前記水平片の先端部から前記支持片と対向して下方に延びる垂れ片とを有し、
前記垂れ片では、上端から下端にかけて表面が前記支持片側に向かって傾斜する傾斜面が形成され、
前記エンドキャップの上端部には、前記取っ手本体の内側に嵌入する断面略コ字状の保持部が設けられ、
前記エンドキャップの下端部では、前記段部に圧入可能であり、圧入により裏面が前記支持片の裏面と略面一に配置される係合ボス部が設けられ、
前記収納家具では、前記扉を閉じた状態において、前記前板の裏面、前記取っ手本体の前記支持片における前記段部を除いた裏面、および前記エンドキャップの前記係合ボス部の裏面が、前記パッキンに略面一で当接する
ことを特徴とする収納家具。
【請求項２】
前記支持片では、前記前板の裏面に沿って延びる取付片が設けられ、この取付片は、前記取っ手の長さ方向の端部以外の部分に配置され、前記取付片において前記取っ手が前記前板に取り付けられていることを特徴とする請求項１に記載の収納家具。
【請求項３】
前記段部は、凹溝であり、前記支持片では、前記凹溝から前記前板の裏面側にかけての部分に面取り部が形成されていることを特徴とする請求項１または２に記載の収納家具。
【発明の詳細な説明】
【技術分野】
【０００１】
本発明は、厨房装置や洗面化粧台などに用いられる収納家具に関する。
【背景技術】
【０００２】
厨房装置や洗面化粧台などに用いられる収納家具における箱状のキャビネットに設けられた扉では、人が指をかけて扉を前後に操作し、開閉することができるようにした取っ手が設けられている。この取っ手の中には、扉の前板の表面側に突出せずに、前板の一端面に沿ってその長さ方向に取り付けられた、いわゆるライン取っ手と称されるものがある。
【０００３】
下記特許文献１には、前板の端部の長手方向に向かって設けられるライン取っ手本体と、ライン取っ手本体の長手方向側の両端部に取り付けられ、その両端部を被覆するサイドキャップとから構成されるライン取っ手が記載されている。このライン取っ手では、サイドキャップが、サイドキャップと前板を接合する螺着片を備えることで、ライン取っ手本体は、サイドキャップのみを介して前板に取り付けられる。このため、ライン取っ手本体に前板との接合部を備える必要がなく、ライン取っ手本体をシンプルに構成することができ、製造コストを抑えることができる。
【０００４】
また、上記ライン取っ手では、ライン取っ手本体の長手方向に溝部を設け、この溝部に挿嵌する突片を嵌合部としてサイドキャップに設け、突片を溝部内に挿嵌させることで、サイドキャップがライン取っ手本体を強固に保持することができる。
【先行技術文献】
【特許文献】
【０００５】
【特許文献１】特開２０１０−２２７３７８号公報
【発明の概要】
【発明が解決しようとする課題】
【０００６】
しかしながら、特許文献１に記載されたライン取っ手では、螺着片の背面側から螺着穴を介して前板に木螺子を螺着することによって前板上部への取り付けがなされるようにしている。このため、前板の側端部では、螺着片がその厚さ分前板の背面側に突出することとなり、扉を閉じた状態では、キャビネットとの間に隙間が生じ、埃や塵、また、害虫が侵入するおそれがある。
【０００７】
本発明は、以上のとおりの事情に鑑みてなされたものであり、密閉性に優れた収納家具を提供することを課題としている。
【課題を解決するための手段】
【０００８】
上記の課題を解決するために、本発明の収納家具は、一端が開放された箱体であるキャビネットの開放端に扉が開閉自在に設けられ、開放端にパッキンが設けられた収納家具であって、扉は、キャビネットの開放端を覆う前板と、この前板の一端部にその長さ方向に沿って設けられた取っ手とから構成され、取っ手は、取っ手本体と、この取っ手本体の長さ方向の端面を覆うエンドキャップとから構成され、取っ手本体は、前板の表面側に配置され、人の手指をかけるための指かかり片と、前板の裏面と裏面が略面一に配置され、指かかり片を支持し、前板の厚みよりも薄く上端部から下端部にかけて略平板状の形状を有する支持片とを備え、支持片では、その裏面に、長さ方向の全長にわたってエンドキャップ取付用の段部が設けられ、指かかり片は、支持片の上端部から前板の表面側に延びる水平片と、水平片の先端部から支持片と対向して下方に延びる垂れ片とを有し、垂れ片では、上端から下端にかけて表面が支持片側に向かって傾斜する傾斜面が形成され、エンドキャップの上端部には、取っ手本体の内側に嵌入する断面略コ字状の保持部が設けられ、エンドキャップの下端部では、段部に圧入可能であり、圧入により裏面が支持片の裏面と略面一に配置される係合ボス部が設けられ、収納家具では、扉を閉じた状態において、前板の裏面、取っ手本体の支持片における段部を除いた裏面、およびエンドキャップの係合ボス部の裏面が、パッキンに略面一で当接することを特徴とする。
【０００９】
この収納家具においては、支持片では、前板の裏面に沿って延びる取付片が設けられ、この取付片は、取っ手の長さ方向の端部以外の部分に配置され、取付片において取っ手が前板に取り付けられていることが好ましい。
【００１０】
また、この収納家具においては、段部は、凹溝であり、支持片では、凹溝から前板の裏面側にかけての部分に面取り部が形成されていることが好ましい。
【発明の効果】
【００１１】
本発明の収納家具によれば、密閉性能の向上が図られる。
【図面の簡単な説明】
【００１２】
【図１】本発明の収納家具の一実施形態を示した斜視図である。
【図２】図１に示した収納家具を内側から示した要部斜視図である。
【図３】図１に示した収納家具における扉を表面側から示した斜視図と、その一端部を一部拡大して示した斜視図である。
【図４】図３に示した扉を裏面側から示した斜視図と、その一端部を一部拡大して示した斜視図である。
【図５】（ａ）（ｂ）（ｃ）は、それぞれ、図３および図４に示した扉の裏面図、そのＡ−Ａ断面図、Ａ−Ａ断面の一端部を拡大して示した拡大断面図である。
【図６】図３に示した扉の取っ手を表面側から示した斜視図と、その長さ方向の一端部を拡大して示した斜視図である。
【図７】図６に示した取っ手を裏面側から示した斜視図と、その長さ方向の一端部を拡大して示した斜視図と、凹溝の拡大断面図である。
【図８】図７に示した取っ手を拡大して示した要部斜視図である。
【図９】（ａ）（ｂ）は、それぞれ、図３および図４に示した扉の取っ手における長さ方向の端面に取り付けられるエンドキャップを異なる二方向から示した斜視図である。
【図１０】取っ手の別の形態を前板と併せて裏面側から示した要部斜視図である。
【発明を実施するための形態】
【００１３】
図１は、本発明の収納家具の一実施形態を示した斜視図である。図２は、図１に示した収納家具を内側から示した要部斜視図である。
【００１４】
収納家具１は、正面が、図１および図２に示したように物品収納用の開口となる矩形立体形状の箱体であるキャビネット２と扉３０を備えている。キャビネット２は、左右一対の側板３と、側板３の上端縁に沿って２つの側板３間に配置された天板４と、側板３の下端部において２つの側板３間に配置された底板（図示せず）と、正面側の開放端２ａに対向して側板３の後端部に配置された背板（図示せず）とから形成されている。背板は、２つの側板３、天板４および底板の内側に取り付けられている。
【００１５】
図２に示したように、キャビネット２の開放端２ａには、側板３、天板４、底板のそれぞれの前端面にその長さ方向に沿ってパッキン５が設けられている。パッキン５は、断面の外形が略半円状である中空の部材であり、軟質樹脂、ゴムなどから形成される。パッキン５は弾性を有しており、前方からの押圧によって変形可能とされることで、収納家具１内の密閉性を保ち、かつ埃や塵、また、害虫の侵入を抑制している。また、パッキン５は、扉３０の開閉の際に、扉３０がキャビネット２と衝突するのを緩衝する機能も兼ね備えている。
【００１６】
また、収納家具１では、キャビネット２の開放端２ａを覆うように、図１に示したように扉３０が開閉自在に設けられている。扉３０は、開き戸としての扉または引き出しの前面化粧板を形成するものであり、開放端２ａを覆う木製などの前板６と、前板６の一端部である上端部にその長さ方向に沿って設けられた取っ手７とから構成される。収納家具１の使用者は、取っ手７に手を携えて扉３０の開閉を行うことができる。
【００１７】
図３は、図１に示した収納家具における扉を表面側から示した斜視図と、その一端部を一部拡大して示した斜視図である。図４は、図３に示した扉を裏面側から示した斜視図と、その一端部を一部拡大して示した斜視図である。図５（ａ）（ｂ）（ｃ）は、それぞれ、図３および図４に示した扉の裏面図、そのＡ−Ａ断面図、Ａ−Ａ断面の一端部を拡大して示した拡大断面図である。
【００１８】
また、図６は、図３に示した扉の取っ手を表面側から示した斜視図と、その長さ方向の一端部を拡大して示した斜視図である。図７は、図６に示した取っ手を裏面側から示した斜視図と、その長さ方向の一端部を拡大して示した斜視図と、凹溝の拡大断面図である。図８は、図７に示した取っ手を拡大して示した要部斜視図である。
【００１９】
図３および図４に示したように、取っ手７は、アルミニウムなどの金属材料の押出成形された長尺の部材である取っ手本体７ａと、エンドキャップ１０とから構成されている。取っ手７の長さは、前板６の上端部の長さと一致している。取っ手本体７ａは、前板６の表面側に配置され、人の手指をかけるための指かかり片８と、前板６の裏面側に配置され、指かかり片８を支持する支持片９とを備えている。エンドキャップ１０は、取っ手本体７ａの長さ方向の端部において、取っ手本体７ａの左右両端面を覆うものである。図１および図２に示したように、前板６と取っ手７の高さの合計が、扉３０の高さであり、側板３の高さと一致し、前板６と取っ手７でキャビネット２の開放端２ａを覆っている。
【００２０】
指かかり片８は、図６および図７に示したように、支持片９の上端部から前板６の表面側に延びる水平片１１と、水平片１１の先端部から支持片９と対向して下方に延びる垂れ片１２とを有している。これらの水平片１１および垂れ片１２によって、指かかり片８は、断面形状が略Ｌ字型に形成されている。
【００２１】
また、垂れ片１２では、図５（ｃ）に示したように、上端から下端にかけて表面１３が支持片９側に向かって傾斜する傾斜面１４が形成されている。このように、垂れ片１２の表面１３は傾斜面１４とされているので、図１に示した収納家具１では、キャビネット２の斜め上から使用者が見た場合、垂れ片１２があまり目立たないものとなり、前板６の上端面６ａである化粧面が見えるようになっている。
【００２２】
なお、図５（ｃ）に示したように、垂れ片１２の裏面１５には、支持片９側に向かって湾曲して突出する膨出部１６が設けられ、膨出部１６の丸み形状によって人の手指が指かかり片８に柔らかく当たり、扉３０の開閉操作を楽に行うことが可能となる。
【００２３】
一方、支持片９は、図５（ｃ）に示したように、上端部１７から下端部１８にかけて略平板状の形状を有している。支持片９の下端部１８は、前板６の上端部上の裏面側に配置され、支持片９の裏面は、前板６の裏面と略面一に配置されている。支持片９の下端部１８は、上端部１７と比較すると、若干肉厚とされているが、厚さは最大でもおよそ４mm程度であり、前板６の厚さよりも薄くされている。したがって、支持片９の下端部１８が配置された前板６の上端面６ａである化粧面は、支持片９の下端部１８を除いて露出している。このように、前板６の上端面６ａである化粧面が取っ手７で覆われることなく、露出しているので、前板６の質感が生かされ、収納家具１の外観がより優れたものとなる。
【００２４】
従来のいわゆるライン取っ手は、断面が弧状で、かつ上端部から下端部にかけて次第に肉厚になるように成形されていた。このため、室内の光源がどの位置にあっても、収納家具の近くに立つ使用者の目には、１本から複数本の光の映り込みによる筋が見えていた。この光の映り込みによる筋は、扉または引き出しにおいて取っ手の存在を目立たせるものであった。これに対し、支持片９は略平板状の形状を有しているので、光の映り込みによる筋の形成が軽減され、収納家具１の使用者に支持片９の存在も意識させることが少ない。
【００２５】
また、図６、図７および図８に示したように、支持片９の裏面には、取っ手７の長さ方向に延びる、エンドキャップ１０を取り付けるための段部１９として凹溝２０が形成されている。凹溝２０は、支持片９の下端部１８に配置されている。凹溝２０の断面形状は、支持片９の裏面側の幅が狭く、奥側に向かうにつれて幅が広くなっている、断面略台形状とされている。凹溝２０の深さは1.5mm程度とされている。凹溝２０は、このように浅いため、支持片９の裏面において露出しても、図４に示したように、収納家具１の外観に及ぼす影響が小さく、凹溝２０は目立ちにくくなっている。しかも、凹溝２０は、図７の図中に拡大して示したように、略台形の角稜部に相当する部分２１は円弧状に形成されている。このようにすることによって、使用者が取っ手７に触れた際の凹溝２０の縁部による怪我のおそれが軽減され、凹溝２０の存在が目立ちにくくなっている。
【００２６】
また、図６、図７および図８に示したように、支持片９では、凹溝２０から前板６の裏面側にかけての部分、具体的には、下端部１８の裏面側に面取り部２２が形成されている。面取り部２２は、支持片９の裏面から表面側に向かって斜め下方に形成されている。
【００２７】
そして、支持片９では、下端部１８から前板６の裏面に沿って下方に延びる取付片２３が設けられている。取付片２３は、図５（ａ）に示したように、取っ手７の長さ方向の左右両端部以外に配置されている。そして、図４にも示したように、取っ手７は、取付片２３においてネジなどの固着具３１が取付片２３側から前板６に向かってねじ込まれまたは打入されるなどして、前板６に取り付けられている。このような固着具３１による取っ手７の取り付けのために、取付片２３では、左右両端部に、固着具３１を挿入可能とした円形の挿入孔３２が設けられている。取付片２３を介して取っ手７が前板６に取り付けられているため、前板６に対する取っ手７の取り付けは強固となっている。取付片２３では、図８に示したように、左右両端部の下端角部に面取り部２４が形成されている。面取り部２４は、取付片２３の左右両端部において内側に向かうように斜めに形成されている。なお、取っ手７の取り付けに用いられる固着具３１は、ネジの他に、アンカー機能を有するものを採用することもできる。
【００２８】
図９（ａ）（ｂ）は、それぞれ、図３および図４に示した扉の取っ手における長さ方向の端面に取り付けられるエンドキャップを異なる二方向から示した斜視図である。
【００２９】
エンドキャップ１０は樹脂製であり、端面部２５は、図６および図７に示した取っ手本体７ａの長さ方向の左右両端面を覆う形状を有している。すなわち、エンドキャップ１０の端面部２５の形状は、断面略Ｌ字型の形状を有する指かかり片８と、指かかり片８が上端部に設けられた支持片９とから形成される端面形状に一致している。エンドキャップ１０の上端部、すなわち、取っ手本体７ａの指がかり片８と支持片９の上端部１７に対応する端部には、取っ手本体７ａの内側に嵌入する、断面略コ字状の保持部２６が設けられている。保持部２６は、端面部２５から水平に突設されている。
【００３０】
また、図９（ａ）（ｂ）に示したエンドキャップ１０では、図７に示した取っ手７の支持片９の裏面に形成された段部１９としての凹溝２０と断面形状が相補的な形状とされている、略平板状の係合ボス部２７が設けられている。係合ボス部２７は、エンドキャップ１０の下端部、すなわち、取っ手本体７ａの支持片９の下端部１８に対応する端部に設けられており、保持部２６と同じ側に端面部２５から水平に突設されている。係合ボス部２７は、図６および図７に示した取っ手本体７ａの支持片９の裏面に形成された凹溝２０に圧入可能とされている。
【００３１】
このようなエンドキャップ１０を取っ手本体７ａに取り付ける際には、保持部２６を指かかり片８と支持片９の上端部１７とにより囲まれる領域の内側に嵌入し、係合ボス部２７を支持片９の凹溝２０に圧入する。保持部２６および係合ボス部２７を形成する樹脂材料が有する弾性によってエンドキャップ１０は、取っ手本体７ａの長さ方向の左右両端面部に強固に取り付けられ、取っ手本体７ａの左右両端面を覆っている。取っ手本体７ａが、前板６の長さに合わせて切断されたままの状態であっても、その長さ方向の左右両端面はエンドキャップ１０によって美麗に納められる。
【００３２】
凹溝２０に圧入された係合ボス部２７の裏面は、図４に拡大して示したように、取っ手本体７ａの支持片９の裏面と略面一に配置される。このため、収納家具１では、図２に示したように、扉３０を閉めたとき、キャビネット２の開放端２ａ側に位置するパッキン５は、前板６の左右両端部に位置する裏面と、取っ手本体７ａの支持片９の凹溝２０を除いた裏面と、係合ボス部２７の裏面と略面一で当接する。支持片９には下端部１８に面取り部２２が形成されているが、面取り部２２の大きさおよび傾斜はわずかであり、支持片９の凹溝２０を除いた裏面とパッキン５の略面一の当接に特に支障はきたさない。このような前板６、支持片９および係合ボス部２７の裏面とパッキン５との略面一の当接によって、収納家具１では、扉３０を閉じた状態においてキャビネット２の開放端２ａに隙間が形成されるのが抑制され、収納家具１の密閉性が高められる。
【００３３】
また、収納家具１では、図５（ａ）に示したように、取付片２３は、取っ手７の長さ方向の左右両端部以外に配置されているので、図２に示したように、取付片２３が、前板６とパッキン５の間に介在することはない。このため、扉３０を閉めた状態において前板６とパッキン５の間に取付片２３に起因する隙間の発生がなく、収納家具１の密閉性が一層高められる。
【００３４】
また、収納家具１では、図８に示したように、支持片９の下端部１８において、凹溝２０から前板６の裏面側にかけての部分に面取り部２２が形成されているので、支持片９の下端部１８には、金属材料を切削加工する際に生じるバリが残っていない。したがって、扉３０を閉じたとき、支持片９の裏面との当接によって、パッキン５が傷つくなどのおそれが少ない。
【００３５】
図１０は、取っ手の別の形態を前板と併せて裏面側から示した要部斜視図である。図１０において図６、図７および図８に示した取っ手７と同じ部位には同一の符号を付し、以下ではその説明を省略する。
【００３６】
図１０に示した取っ手２８では、取っ手本体２８ａの段部１９は、凹溝２０ではなく、支持片９の下端部１８においてその下端面まで一段下がって形成されている。このような段部１９は、支持片９の裏面が前板６の裏面と略面一に配置されるように取っ手７が前板６の上端面に取り付けられると、前板６の上端面との間に溝状の凹部２９を形成する。エンドキャップ１０の係合ボス部２７は、凹部２９を形成する段部１９に圧入され、係合ボス部２７と、図９に示した保持部２６とを形成する樹脂材料の弾性によって、エンドキャップ１０は、取っ手２８の長さ方向の左右両端面部に強固に取り付けられる。また、段部１９に圧入された係合ボス部２７の裏面は、取っ手本体２８ａの支持片９の裏面と略面一に配置される。
【００３７】
なお、図１０に示した取っ手２８では、支持片９の下端部１８の裏面側には面取り部２２は形成されていない。したがって、図１０に示した取っ手２８が設けられた収納家具１では、図２に示したように、扉３０を閉めたとき、パッキン５は、前板６の左右両端部に位置する前板６の裏面と、取っ手本体２８ａの支持片９の段部１９を除いた裏面と、係合ボス部２７の裏面と面一で当接する。このような前板６、支持片９および係合ボス部２７の裏面とパッキン５との面一の当接によって、収納家具１では、扉３０を閉じた状態においてキャビネット２の開放端２ａに隙間が形成されるのがより一層抑制され、収納家具１の密閉性がより一層高められ、防塵および防虫性がさらに優れたものとなる。
【００３８】
本発明は、以上の実施形態によって限定されるものではない。収納家具の種類、キャビネットの形状、構成および構造、また、扉の大きさや材質、構成および構造などの細部については様々な態様が可能である。また、本発明は、開き戸または引き出しのいずれのタイプの収納家具にも適用可能である。
【符号の説明】
【００３９】
１  収納家具
２  キャビネット
２ａ  開放端
５  パッキン
６  前板
７、２８  取っ手
７ａ、２８ａ  取っ手本体
８  指かかり片
９  支持片
１０  エンドキャップ
１９  段部
２０  凹溝
２２  面取り部
２３  取付片
２７  係合ボス部
３０  扉
【図１】
0005877378.tif 000002
【図２】
0005877378.tif 000003
【図３】
0005877378.tif 000004
【図４】
0005877378.tif 000005
【図５】
0005877378.tif 000006
【図６】
0005877378.tif 000007
【図７】
0005877378.tif 000008
【図８】
0005877378.tif 000009
【図９】
0005877378.tif 000010
【図１０】
0005877378.tif 000011